(57)【要約】【課題】  熱収縮性樹脂基材層にホログラム用エンボスの形成を可能とし、シュリンク後もホログラムの効果が劣化せず、また、ホログラム用エンボスの影響を受けずに絵柄印刷の画像検査を可能とするシュリンクラベル及びその製造方法を提供する。【解決手段】  ポリスチレン系の熱収縮性樹脂基材層２の片面に絵柄印刷を施した後に画像検査を行い、その後、該絵柄印刷を施した面とは反対側の面の該熱収縮性樹脂基材層に透明蒸着層７を形成し、その後、ホログラム用エンボスＡを形成する。【選択図】      図１
2010054865.tif 000002
【特許請求の範囲】
【請求項１】
各種物品の周囲に巻付収縮するシュリンクラベルにおいて、
外周側から、絵柄印刷層と、
内周側の面にホログラム用のエンボス形状を有する熱収縮性樹脂基材層と、
前記熱収縮性樹脂基材層の該エンボス形状に追従する薄膜形状で透明蒸着層が、
順次積層されていることを特徴とする、シュリンクラベル。
【請求項２】
前記絵柄印刷層と前記熱収縮性樹脂基材層との間に、白インキ層が設けられていることを特徴とする、請求項１に記載のシュリンクラベル。
【請求項３】
各種物品の周囲に巻付収縮するシュリンクラベルにおいて、
内周側から、絵柄印刷層と、
外周側の面にホログラム用のエンボス形状を有する熱収縮性樹脂基材層と、
前記熱収縮性樹脂基材層の該エンボス形状に追従する薄膜形状で透明蒸着層が、
順次積層されていることを特徴とする、シュリンクラベル。
【請求項４】
前記絵柄印刷層の上に、シュリンクラベルの最内周の位置として、白インキ層が設けられていることを特徴とする、請求項３に記載のシュリンクラベル。
【請求項５】
前記熱収縮性樹脂基材層は、延伸ポリスチレン系フィルムであることを特徴とする、請求項１乃至請求項４のいずれか１項に記載のシュリンクラベル。
【請求項６】
各種物品の周囲に巻付収縮するシュリンクラベルの製造方法であって、
熱収縮性樹脂基材層の片面に絵柄印刷を施し、
該絵柄印刷を施した面とは反対側の面の該熱収縮性樹脂基材層に
透明蒸着層を形成した後に、
該熱収縮性樹脂基材層の該透明蒸着層を設けた面に、
該熱収縮性樹脂基材層のシュリンク温度より低い温度で熱圧を加えて、
ホログラム用エンボス形状を形成することを特徴とする、シュリンクラベルの製造方法。
【請求項７】
前記熱収縮性樹脂基材層は、延伸ポリスチレン系フィルムであることを特徴とする、請求項６に記載のシュリンクラベルの製造方法。
【請求項８】
各種物品の周囲に巻付収縮するシュリンクラベルに印刷により形成された絵柄の検査方法であって、
熱収縮性樹脂基材層の片面に絵柄の印刷を施した後であって、
該熱収縮性樹脂基材層の該絵柄の印刷を施した面とは反対側の面に、
ホログラム用のエンボス形状を形成する前に、
印刷により形成された絵柄の画像検査を行うことを特徴とする、シュリンクラベルの検査方法。
【発明の詳細な説明】
【技術分野】
【０００１】
本発明は、飲料分野、調味料分野、トイレタリー分野などにおけるＰＥＴ容器やガラス瓶容器をはじめとする各種物品に巻付収縮するシュリンクラベル、及びその製造方法に関するものである。
【背景技術】
【０００２】
従来、各種飲料用のＰＥＴボトルやガラス瓶等の容器の胴部に装着されるラベルとしてシュリンクラベルが知られている。
通常このシュリンクラベルは、ポリ塩化ビニルやポリエステル等の熱収縮性樹脂を基材として製造され、シート状から筒状に形成した後に、該シュリンクラベルの筒内に各種物品を配置した後、該シュリンクラベルを構成する熱収縮性樹脂に応じたシュリンク温度（例えば７０℃〜９０℃）にて加熱収縮させて、該物品の外周に密にラベルを巻き付けるようにしたものである。
このようなシュリンクラベルには、種々の印刷が施されているが、さらに高意匠化せしめる目的でホログラムを利用した装飾効果を付加したシュリンクラベルが提案されている（例えば、特許文献１、２）。
【特許文献１】特開平９−７６３９６号公報
【特許文献２】特開２００３−１７７６７２号公報
【発明の開示】
【発明が解決しようとする課題】
【０００３】
ところで、ホログラム用のエンボス形状をラベル用樹脂基材層に形成するためには、一般的には熱硬化型のホログラム形成樹脂層を該ラベル用樹脂基材層へ積層し、２００℃近い温度でホログラム成形用の金型を押圧してエンボス形状の加工を施す必要がある。
【０００４】
しかしながら、シュリンクラベルにおいてはホログラム形成樹脂層を硬化させる熱（例えば２００℃）でシュリンクラベルを構成する熱収縮性樹脂基材層が収縮してしまうため、上記手法でシュリンクラベルにホログラム用エンボスを形成することは困難であった。
【０００５】
一方、熱収縮性樹脂基材層とは別に、ホログラム形成樹脂層に予めホログラム用のエンボス形状を形成しておき、その後、該ホログラム形成樹脂層と熱収縮性樹脂基材層とを貼り合わせることにより、ホログラム用エンボス形状を有するシュリンクラベルを得る手法では、工程が複雑になってしまうという問題があった。
【０００６】
また、先にホログラム用エンボス形状を形成した熱収縮性樹脂基材層に、後から絵柄印刷を行って、絵柄の画像検査を行うと、画像検査機ではホログラム用エンボス形状も絵柄として誤認してしまうため、全て絵柄異常と検知してしまうという問題があった。
【０００７】
また、ホログラム効果を高めるために反射層としてアルミ蒸着層を熱収縮性樹脂基材層に形成した場合は、その後のシュリンク工程によって蒸着層が割れてしまうという問題や、蒸着層が白化してしまうという問題があった。
【０００８】
さらに、ホログラム用エンボス形状の加工をした後に、ホログラム効果の輝度を高めるために透明蒸着層を形成した場合は、蒸着層の密着性が悪く、その後のシュリンク工程で蒸着層が剥離脱落してしまうという問題があった。
【０００９】
本発明は上記事情に対処してなされたものであり、熱収縮性樹脂基材層にホログラム用エンボス形状を有し、絵柄印刷後において絵柄の画像検査が可能で、シュリンク工程後においても蒸着層が剥離脱落せずにホログラム効果を維持できるシュリンクラベル及びその製造方法を提供することを目的とする。
【課題を解決するための手段】
【００１０】
本発明者は、シュリンクラベルについて詳細に検討した結果、
（１）例えばポリスチレン系の熱収縮性樹脂基材層を用いれば、該熱収縮性樹脂基材層のシュリンク温度（例えば９０℃〜１００℃）よりも低い温度（例えば７０℃〜８０℃）でホログラム成形用の金型を押圧する手法により、熱収縮性樹脂基材層に直接ホログラム用のエンボス形状を形成することが可能なこと、
（２）熱収縮性樹脂基材層への絵柄印刷後であって、ホログラム用のエンボス形状の形成前に画像検査を行うことで、ホログラム用エンボス形状による影響を受けずに、印刷により形成された絵柄の画像検査が出来ること、
（３）アルミ蒸着層に替えて透明蒸着層を形成することで蒸着層の割れや、白化を防げること、
（４）熱収縮性樹脂基材層に透明蒸着層を形成した後にホログラム用のエンボス形状を形成することで、その後のシュリンク工程で該透明蒸着層が剥離脱落することを防ぎ、その結果ホログラム効果において輝度が低下するという問題を解決できること、
（５）白インキ層を所定の位置に設けることで、該シュリンクラベルが物品の周囲に取り付けられた際、その物品の色の影響を受けずに、絵柄印刷層の本来の色相を再現することができ、鮮明な絵柄が観察できるので好ましいこと、
（６）さらに、白インキ層を該シュリンクラベルの最内周の位置に設けることで、該白インキ層が該絵柄印刷層の保護層として作用すること、並びに該シュリンクラベルと物品との滑り性向上に作用することを見出し、本発明を完成させた。
【００１１】
すなわち、本発明の請求項１に係る発明は、各種物品の周囲に巻付収縮するシュリンクラベルにおいて、外周側から、絵柄印刷層と、内周側の面にホログラム用のエンボス形状を有する熱収縮性樹脂基材層と、前記熱収縮性樹脂基材層の該エンボス形状に追従する薄膜形状で透明蒸着層が、順次積層されていることを特徴とする、シュリンクラベルである。
【００１２】
また、本発明の請求項２に係る発明は、請求項１に記載のシュリンクラベルであって、前記絵柄印刷層と前記熱収縮性樹脂基材層との間に、白インキ層が設けられていることを特徴とする、シュリンクラベルである。
【００１３】
また、本発明の請求項３に係る発明は、各種物品の周囲に巻付収縮するシュリンクラベルにおいて、内周側から、絵柄印刷層と、外周側の面にホログラム用のエンボス形状を有する熱収縮性樹脂基材層と、
前記熱収縮性樹脂基材層の該エンボス形状に追従する薄膜形状で透明蒸着層が、順次積層されていることを特徴とする、シュリンクラベルである。
【００１４】
また、本発明の請求項４に係る発明は、請求項３に記載のシュリンクラベルであって、前記絵柄印刷層の上に、シュリンクラベルの最内周の位置として、白インキ層が設けられていることを特徴とする、シュリンクラベルである。
【００１５】
また、本発明の請求項５に係る発明は、請求項１乃至請求項４のいずれか１項に記載のシュリンクラベルであって、前記熱収縮性樹脂基材層は、延伸ポリスチレン系フィルムであることを特徴とする、シュリンクラベルである。
【００１６】
また、本発明の請求項６に係る発明は、各種物品の周囲に巻付収縮するシュリンクラベルの製造方法であって、熱収縮性樹脂基材層の片面に絵柄印刷を施し、該絵柄印刷を施した面とは反対側の面の該熱収縮性樹脂基材層に透明蒸着層を形成した後に、該熱収縮性樹脂基材層の該透明蒸着層を設けた面に、該熱収縮性樹脂基材層のシュリンク温度より低い温度で熱圧を加えて、ホログラム用エンボス形状を形成することを特徴とする、シュリンクラベルの製造方法である。
【００１７】
また、本発明の請求項７に係る発明は、請求項６に記載のシュリンクラベルの製造方法であって、前記熱収縮性樹脂基材層は、延伸ポリスチレン系フィルムであることを特徴とする、シュリンクラベルの製造方法である。
【００１８】
また、本発明の請求項８に係る発明は、各種物品の周囲に巻付収縮するシュリンクラベルに印刷により形成された絵柄の検査方法であって、熱収縮性樹脂基材層の片面に絵柄の印刷を施した後であって、該熱収縮性樹脂基材層の該絵柄の印刷を施した面とは反対側の面にホログラム用のエンボス形状を形成する前に、印刷により形成された絵柄の画像検査を行うことを特徴とする、シュリンクラベルの検査方法である。
【発明の効果】
【００１９】
本発明によれば、熱収縮性樹脂基材層に直接、ホログラム用エンボス形状の形成を可能とし、また、ホログラム用エンボス形状による影響を受けずに絵柄印刷の画像検査を可能とし、さらにシュリンク工程を経た後もホログラムの効果を維持可能とするシュリンクラベルを提供することができる。これにより、絵柄印刷だけでは表現できない高意匠化をシュリンクラベルにもたらすことができる。また、白インキ層を所定の位置に設けることで、絵柄印刷の鮮明な色相を再現でき、絵柄印刷層の保護性を向上し、さらにはシュリンクラベルが巻き付く物品との滑り性が向上したシュリンクラベルを提供することができる。
【００２０】
具体的には、
（１）本発明によれば、例えば、延伸ポリスチレン系フィルムを熱収縮性樹脂基材層に用いるため、熱硬化型のホログラム形成樹脂層の積層を不要とし、シュリンク温度より低い温度で直接、熱収縮性樹脂基材層にホログラム用エンボスの形成が可能となる。
（２）また、本発明によれば、ホログラム用エンボス形状を熱収縮性樹脂基材層に形成する前に、該熱収縮性樹脂基材層に印刷した絵柄を画像検査するため、ホログラム用エンボス形状の影響を受けずに絵柄の画像検査が可能となる。
（３）また、本発明によれば、アルミ蒸着層に替えて透明蒸着層を形成するため、蒸着層の割れや、白化を防ぐことが可能となる。
（４）また、本発明によれば、熱収縮性樹脂基材層に透明蒸着層を形成した後にホログラム用のエンボス形状を形成するため、その後のシュリンク工程で該透明蒸着層が剥離脱落することを防ぎ、その結果、ホログラム効果の輝度を維持することが可能となる。
（５）また、本発明によれば、白インキ層を所定の位置に設けることで、該シュリンクラベルが物品の周囲に取り付けられた際、その物品の色の影響を受けずに、絵柄印刷層の本来の色相を再現することができ、その結果、鮮明な絵柄が観察できるという好ましい結果が得られる。
（６）さらに、本発明によれば、白インキ層を該シュリンクラベルの最内周の位置に設けることで、該絵柄印刷層の保護性が向上する効果、並びに該シュリンクラベルと物品との滑り性が向上するという効果が得られる。
【発明を実施するための最良の形態】
【００２１】
以下、本発明の実施の形態について図面を参照して説明する。
［シュリンクラベル］
図１は、本発明のシュリンクラベルの一実施形態を示す部分断面図である。図１において、本発明のシュリンクラベル１は、熱収縮性樹脂基材層２の表面に部分的に白インキ層４、絵柄印刷層５を備えており、この白インキ層４と絵柄印刷層５を被覆するようにＯＰニス６が形成されており、熱収縮性樹脂基材層２の裏面にはホログラム用エンボスＡを備えており、このホログラム用エンボスＡの形状に追従するようにプライマー層３、透明蒸着層７が形成されており、さらにこの透明蒸着層７を被覆するようにインナーニス８が形成されているものである。
【００２２】
図２は、本発明のシュリンクラベルの他の実施形態を示す部分断面図である。図２において、本発明のシュリンクラベル９は、熱収縮性樹脂基材層１０の表面にホログラム用エンボスＢを備えており、このホログラム用エンボスＢの形状に追従するようにプライマー層１１、透明蒸着層１４が形成されており、さらにこの透明蒸着層１４を被覆するようにＯＰニス１５が形成されており、熱収縮性樹脂基材層１０の裏面には、絵柄印刷層１２を備えており、この絵柄印刷層１２を被覆するように白インキ層１３が形成されているものである。
【００２３】
シュリンクラベル１，９を構成する熱収縮性樹脂基材層２，１０はシュリンク基材としての作用の他に、印刷基材としての作用、並びにホログラム形成基材としての作用をなすものである。このような熱収縮性樹脂基材層２，１０は例えば、延伸ポリスチレン系フィルムにより実現できる。
【００２４】
白インキ層４，１３はシュリンクラベルが各種物品の周囲に巻付収縮して取り付けられた際に、その物品の周囲の色を隠蔽し、絵柄印刷層５，１２の色相を際立たせる下地層として作用するものであり、シュリンクラベル１，９を各種物品に巻き付けた状態において内側に白インキ層４，１３が、外側に絵柄印刷層５，１２が配置されることとなる。ここで白インキ層１３は、絵柄印刷層１２の下地層としての作用のみならず、絵柄印刷層１２の保護層としての作用、並びにシュリンクラベル９の裏面と物品との滑り性の向上にも作用するものである。一方、白インキ層４は必要に応じて設けられるものであり、絵柄に透明感を持たせる場合等には全部若しくは一部を省いても良い。
【００２５】
絵柄印刷層５，１２は各種印刷により使用されるインキから成るものであり、例えばグラビア印刷に使用されるインキにより絵柄印刷層５，１２を形成することができる。具体的には、樹脂と溶媒から通常のインキビヒクルの１種ないし２種以上を調製し、これに、必要ならば、可塑剤、安定剤、酸化防止剤、光安定剤、紫外線吸収剤、硬化剤、架橋剤、滑剤、帯電防止剤、充填剤、その他等の助剤の１種ないし２種以上を任意に添加し、更に、染料・顔料等の着色剤を添加し、溶媒、希釈剤等で充分に混練、調整して得たインキ組成物を使用することができる。
【００２６】
なお上記は、グラビア印刷を例に説明したが、凸版印刷、スクリーン印刷、転写印刷、フレキソ印刷、等その他の印刷方式であってもよい。また、印刷は、裏印刷でも、表印刷でもよい。
【００２７】
プライマー層３，１１は、熱収縮性樹脂基材層２，１０と透明蒸着層７，１４との密着性の向上に作用するものであり、その材料としては公知の透明インキを用いることが出来る。例えば、ロジン、ロジンエステル、ロジン変性樹脂、アルキッド樹脂、フェノール系樹脂、マレイン酸樹脂、ポリスチレン系樹脂、アクリルまたはメタクリル系樹脂、ポリアミド系樹脂、ポリエステル系樹脂、エポキシ系樹脂、尿素樹脂、メラミン樹脂、アミノアルキッド系樹脂、ニトロセルロース、エチルセルロース等の中から１種または２種以上を併用した物、さらに可塑剤、安定剤、酸化防止剤、光安定剤、硬化剤、架橋剤、滑剤、充填剤、シリカ等の助剤の１種ないし２種以上を任意に添加し溶媒、希釈剤等で充分に混練、調整して得たインキ組成物を用いることが出来る。本発明におけるプライマー層には、例えば、ポリスチレン系、アクリル系、ニトロセルロース系の樹脂が好ましい。なお、このプライマー層３，１１は必要に応じて設けられるものであり、熱収縮性樹脂基材層２，１０と透明蒸着層７，１４との密着性に応じて省くことができる。
【００２８】
透明蒸着層７，１４は、ホログラム用エンボスＡ，Ｂのホログラム効果の輝度向上に作用するものであり、その膜厚は、例えば、１０〜２００ｎｍ程度の範囲で適宜設定することができる。その材料としては、例えば硫化亜鉛、シリカ、アルミナ、その他を用いることができる。本発明では、高い輝度が得られることから硫化亜鉛を用いることが望ましい。
【００２９】
なお、本発明においては、熱収縮性樹脂基材層２，１０に必要に応じてプライマー層を形成し、続いて透明蒸着層を形成した後に、シュリンク温度より低い温度で、金型等を押圧することによりホログラム用のエンボス形状の形成を行うため、透明蒸着層７，１４は、該金型等により規定されるホログラム用エンボスＡ，Ｂの形状に追従する形状の薄膜となる。
【００３０】
ここで、ホログラム効果の輝度を向上させる手法として、透明蒸着層の代りにアルミ蒸着層を用いる手法がある。しかし、アルミ蒸着層を用いた場合は、シュリンクラベルを容器に巻き付けてシュリンクさせる工程において、蒸着面が割れて白化してしまい、その結果、ホログラム効果を得ることは出来なかった。
【００３１】
一方、本発明の透明蒸着層であれば、上記シュリンク工程を経た後もホログラム効果を維持することができた。
【００３２】
ホログラム用エンボスＡ，Ｂは微小な凹凸形状であって、光の干渉や回折を引き起こしてホログラム効果を発揮するものであり、例えば、その凹凸の高低差は０．１μｍ〜１μｍ、ピッチは０．１〜２μｍの範囲で適宜設定することができる。本発明では、例えば、温度８０℃と圧力６ｋｇ／ｃｍ2でホログラム成形用の金型を押圧して、熱収縮性樹脂基材層２、１０にホログラム用エンボスを形成する。
【００３３】
ここで、シュリンクラベルを巻き付ける容器に対し、絵柄印刷層を表側に配置する場合には、ホログラム用エンボス面Ａは内側になり（図１）、絵柄印刷層の面を内側に配置する場合にはホログラム用エンボス面Ｂは外側になる（図２）。
【００３４】
ＯＰニス層６は、白インキ層４や絵柄インキ５を被覆するように塗布形成され、絵柄印刷面を保護し、さらには光沢を与えるものである。
【００３５】
インナーニス層８、ＯＰニス層１５はそれぞれ、ホログラム・エンボスＡ，Ｂが形成された面を被覆するように塗布形成され、該ホログラム・エンボスＡ，Ｂが形成された面の保護や滑り性向上のために設けられるものである。
【００３６】
上記インナーニス層及びＯＰニス層には、通常のインキビヒクルの１種ないし２種以上を調製し、必要に応じて、可塑剤、安定剤、酸化防止剤、光安定剤、紫外線吸収剤、硬化剤、架橋剤、滑剤、帯電防止剤、充填剤、その他の助剤の１種ないし２種以上を任意に添加し、溶媒、希釈剤等で充分に混練して得たインキ組成物を使用することができる。
【００３７】
なお、ＯＰニス層６，１５、及びインナーニス層８は、本発明において省くこともできる。この場合、各表面の保護性等は劣ることになるが、工程短縮という効果が得られる。
【００３８】
［シュリンクラベルの製造方法］
次に本発明のシュリンクラベルの製造方法について説明する。
図３は、図１に示されるシュリンクラベルを例として本発明の製造方法を説明するための工程図である。
【００３９】
まず、基材に延伸ポリスチレン系フィルムからなる熱収縮性樹脂基材層２を用い（図３（ａ））、この熱収縮性樹脂基材層２の裏面にポリスチレン系樹脂からなるプライマー層３を塗布形成した後、熱収縮性樹脂基材層２の表面にグラビア印刷等の手法により、白インキ層４、並びに絵柄印刷層５を形成する（図３（ｂ））。その後、白インキ層４、並びに絵柄印刷層５を被覆するようにＯＰニス層６を塗布形成する（図３（ｃ））。
【００４０】
次に、熱収縮性樹脂基材層２の裏面に形成したプライマー層３の上に真空蒸着法等により硫化亜鉛からなる透明蒸着層７を形成し（図３（ｄ））、その後、この透明蒸着層７の上からホログラム成形用の金型を押圧して、ホログラム・エンボスＡを形成する（図３（ｅ））。
【００４１】
最後に、ホログラム用エンボスＡの形状に追従する形状に加工された透明蒸着層７を被覆するようにインナーニス層８を塗布形成し（図３（ｆ））、シュリンクラベル１が得られる。
【００４２】
図４は、図２に示されるシュリンクラベルを例として本発明の製造方法を説明するための工程図である。
【００４３】
まず、基材に延伸ポリスチレン系フィルムからなる熱収縮性樹脂基材層１０を用い（図４（ａ））、この熱収縮性樹脂基材層１０の表面にポリスチレン系樹脂からなるプライマー層１１を塗布形成した後、熱収縮性樹脂基材層１０の裏面にグラビア印刷等の手法により絵柄印刷層１２を形成する（図４（ｂ））。その後、絵柄印刷層１２を被覆するように白インキ層１３を塗布形成する（図４（ｃ））。
【００４４】
次に、熱収縮性樹脂基材層１０の表面に形成したプライマー層１１の上に真空蒸着法等により硫化亜鉛からなる透明蒸着層１４を形成し（図４（ｄ））、その後、この透明蒸着層１４の上からホログラム成形用の金型を押圧して、ホログラム用エンボスＢを形成する（図４（ｅ））。
【００４５】
最後に、ホログラム用エンボスＢの形状に追従する形状に加工された透明蒸着層１４を被覆するようにＯＰニス層１５を塗布形成し（図４（ｆ））、シュリンクラベル２が得られる。
【００４６】
なお、上述のシュリンクラベルの製造方法の実施形態は例示であり、本発明はこれらの実施形態に限定されるものではない。
【実施例】
【００４７】
次に具体的な実施例を示して本発明を更に詳細に説明する。
［実施例１］
熱収縮性樹脂基材層として延伸ポリスチレン系フィルム（ＤＸＬ２７０−４１Ｓ  三菱樹脂製）を用い、この熱収縮性樹脂基材層の裏面にポリスチレン系の樹脂を組成物とする厚さ０．１μｍのプライマー層を形成し、次に絵柄印刷層を形成するためのインキとしてアクリル系グラビアインキ（ＯＳＭ  大日精化製）を用いて上記熱収縮性樹脂基材層の表面にグラビア印刷を行い、その後、絵柄印刷層の上にＯＰニス層を塗布形成した。
【００４８】
この段階で、この印刷後の熱収縮性樹脂基材層を画像検査機（株式会社ヒューテック製ＥａｓｙＭａｘ）で絵柄検査したところ、良好に検査を遂行できた。この段階では熱収縮性樹脂基材層に未だホログラム加工を施していないため、ホログラム用エンボスの影響を受けることは起こり得ないためである。
【００４９】
次に、上記熱収縮性樹脂基材層のプライマー層を形成した面（裏面）に、硫化亜鉛を材料として厚さ５０ｎｍの透明蒸着層を形成し、この透明蒸着面の上から金型を用いて熱収縮性樹脂基材層にホログラム用エンボス加工（温度８０℃、圧力６ｋｇ／ｃｍ2、エンボス深さ０．１μｍ）を行い、このホログラム用エンボスを形成した面の上にインナーニス層を塗布形成した。
【００５０】
その後、従来の方法でスリット加工やミシン目加工を行い、得られたシュリンクラベルをＰＥＴボトルに筒貼りし、このＰＥＴボトルを温度９０℃のスチームトンネル（Ｋ＆Ｕシステム製）に通すことによりシュリンクを行った。
【００５１】
得られたシュリンクラベルは、延伸ポリスチレン系フィルムから成る熱収縮性樹脂基材層にシュリンク温度より低い温度で直接ホログラム用エンボスを形成しているため、シュリンク工程の他にシュリンク温度より高温に晒されることはなく、当該シュリンク工程で良好にシュリンクし、ＰＥＴボトルに巻着されるものであった。
【００５２】
また、得られたシュリンクラベルは、ホログラム用エンボス形状を熱収縮性樹脂基材層に形成する前に、熱収縮性樹脂基材層に印刷により施した絵柄を画像検査するため、ホログラム用エンボス形状の影響を受けずに絵柄の画像検査が可能であり、絵柄不良のないシュリンクラベルであった。
【００５３】
また、得られたシュリンクラベルは、アルミ蒸着層に替えて透明蒸着層を形成しているため、蒸着層の割れや、白化現象は確認されなかった。
【００５４】
さらに、得られたシュリンクラベルは、熱収縮性樹脂基材層に透明蒸着層を形成した後にホログラム用エンボスの加工を施しているため、その後のシュリンク工程で該透明蒸着層が剥離脱落することは確認されず、輝度低下のないホログラム効果を有したものであった。
【００５５】
（実施例２）
実施例１と同様に、熱収縮性樹脂基材層として延伸ポリスチレン系フィルム（ＤＸＬ２７０−４１Ｓ  三菱樹脂製）を用い、絵柄印刷を施した。ただし、実施例１とは反対に、絵柄印刷面が各種物品に巻き付けられる内側の面となるため、白インキ層は絵柄印刷層の上に形成されることとなる。
【００５６】
その後、実施例１と同様に、絵柄印刷を施した面とは逆の面に対して熱収縮性樹脂基材層に透明蒸着を施し、この透明蒸着面の上からホログラム加工を行い、このホログラム加工面の上にＯＰニス層を塗布形成した。
【００５７】
その後、実施例１と同様に、スリット加工やミシン目加工を行い、得られたシュリンクラベルをＰＥＴボトルに筒貼りし、スチームトンネル（Ｋ＆Ｕシステム製）に通すことによりシュリンクを行った。
【００５８】
得られたシュリンクラベルは、延伸ポリスチレン系フィルムから成る熱収縮性樹脂基材層にシュリンク温度より低い温度で直接ホログラム用エンボスを形成しているため、シュリンク工程の他にシュリンク温度より高温に晒されることはなく、当該シュリンク工程で良好に収縮し、ＰＥＴボトルに巻着されるものであった。
【００５９】
また、得られたシュリンクラベルは、ホログラム用エンボス形状を形成する前に、熱収縮性樹脂基材層に印刷により施した絵柄を画像検査するため、ホログラム用エンボス形状の影響を受けずに絵柄の画像検査が可能であり、絵柄不良のないシュリンクラベルであった。
【００６０】
また、得られたシュリンクラベルは、アルミ蒸着層に替えて透明蒸着層を形成しているため、蒸着層の割れや、白化現象は確認されなかった。
【００６１】
さらに、得られたシュリンクラベルは、熱収縮性樹脂基材層に透明蒸着層を形成した後にホログラム加工を施しているため、その後のシュリンク工程で該透明蒸着層が剥離脱落することは確認されず、輝度低下のないホログラム効果を有したものであった。
【００６２】
（比較例１）
熱収縮性樹脂基材層としてポリ塩化ビニル（軟質）を用いたことの他は、実施例１と同様にして、シュリンクラベルの作成を試みたが、当該熱収縮性樹脂基材層では、シュリンク温度（７０℃〜９０℃）より低い温度で所望のホログラム用のエンボス形状を加工形成することは出来なかった。
【００６３】
（比較例２）
熱収縮性樹脂基材層に対し、先にホログラム用エンボスの形成加工を施し、その後、ホログラム用エンボス加工を施した面とは反対側の面に絵柄をグラビア印刷するという工程順序を経ることの他は、実施例１と同様にして、シュリンクラベルを作成した。
【００６４】
この方法でも、グラビア印刷を施すことは可能であった。しかし、このシュリンクラベルの絵柄を画像検査機（株式会社ヒューテック製ＥａｓｙＭａｘ）により検査したところ、ホログラム用エンボス形状も絵柄と誤認してしまい、全て絵柄異常と検知してしまう結果となった。感度調整等も行ってはみたが、全く効果は得られなかった。
【００６５】
（比較例３）
熱収縮性樹脂基材層に対し、透明蒸着層の代りにアルミ蒸着層を形成した他は実施例１と同様にして、シュリンクラベルを作成した。このシュリンクラベルをＰＥＴボトルに筒貼りし、スチームトンネル（Ｋ＆Ｕシステム製）を通してシュリンクを行い、外観及び表面状態の確認を行ったところ、このシュリンクラベルには割れや白化が生じてしまい、ホログラムの効果が全く見られなくなってしまった。
【００６６】
（比較例４）
熱収縮性樹脂基材層に対し、先にホログラム用エンボス形状の形成加工をした後、透明蒸着を成膜するという工程順序を経ることの他は実施例１と同様にして、シュリンクラベルを作成した。
【００６７】
このシュリンクラベルをＰＥＴボトルに筒貼りし、スチームトンネル（Ｋ＆Ｕシステム製）を通してシュリンクさせ、外観及び表面状態の確認を行ったところ、このシュリンクラベルにおいては蒸着層が剥げ落ちてしまい、輝度の点からホログラム効果が劣る結果となった。
【図面の簡単な説明】
【００６８】
【図１】本発明のシュリンクラベルの一例を示す断面図である。
【図２】本発明のシュリンクラベルの他の例を示す断面図である。
【図３】本発明のシュリンクラベルの製造方法の一例を説明する断面図である。
【図４】本発明のシュリンクラベルの製造方法の他の例を説明する断面図である。
【符号の説明】
【００６９】
１，９・・・シュリンクラベル
２，１０・・・熱収縮性樹脂基材層
３，１１・・・プライマー層
４，１３・・・白インキ層
５，１２・・・絵柄印刷層
６，１５・・・ＯＰニス層
７，１４・・・透明蒸着層
８・・・インナーニス層
Ａ，Ｂ・・・ホログラム用エンボス
【図１】
2010054865.tif 000003
【図２】
2010054865.tif 000004
【図３】
2010054865.tif 000005
【図４】
2010054865.tif 000006